【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
データの格納に用いられる記録媒体であって、
前記データは、ビデオストリームと、グラフィクスストリームとを多重してなるデジタルストリームを含み、
前記ビデオストリームは、動画像を表すデータであり、動画像を構成する複数ピクチャからなり、
前記グラフィクスストリームは、複数のディスプレイセットからなり、
個々のディスプレイセットは、１画面分のグラフィクスを構成するデータの集合であり、
前記複数のディスプレイセットのうち先頭のタイプはエポックスタートのディスプレイセットであり、
前記エポックスタートのディスプレイセットはグラフィクスデータと、前記グラフィクスデータの描画領域を定義するウィンドゥ定義データとを含み、
前記グラフィクスデータは、前記ピクチャに合成されるグラフィクスを表し、
前記ウィンドゥ定義データは、前記ピクチャとの合成のためのプレーンメモリにおけるウィンドゥの位置、縦幅、横幅を示し、
前記エポックスタートのディスプレイセットには、ノーマルケースのディスプレイセットが後続しており、
ノーマルケースのディスプレイセットは、前記ウィンドゥ定義データで定義されるウィンドゥの内部において、スクロール、ワイプイン、又は、ワイプアウト、カットイン、又は、カットアウトの何れかを含む表示効果を伴いながら、エポックスタートのディスプレイセット内のグラフィクスデータを表示に供するものであり、
ノーマルケースのディスプレイセットは、前記グラフィクスデータ、及び、ウィンドゥ定義データは含まず、制御データのみを含むディスプレイセットであり、当該制御データは、クロップ情報、及び、位置情報を含み、
クロップ情報は、エポックスタートのディスプレイセット内のグラフィクスデータを復号することにより得られグラフィクスオブジェクト用バッファに蓄積されているグラフィクスオブジェクト全体のうち、どの部分を表示効果のために切り出して、プレーンメモリに転送するかという切り出し枠の指定を示し、
位置情報は、クロップ情報によりグラフィクスオブジェクトから切り出されたグラフィクスの一部分をウィンドゥ内のどこに配置して、表示に供するかを示す
ことを特徴とする記録媒体。
【請求項２】
前記エポックスタートのディスプレイセットには、複数のノーマルケースのディスプレイセットが後続しており、
前記個々のノーマルケースのディスプレイセットに属する制御情報は、クロップ情報における切り出し枠の指定と、及び、位置情報における表示の位置とが異なる
ことを特徴とする請求項１記載の記録媒体。
【請求項３】
前記表示効果のスクロールは、前記エポックスタートのディスプレイセットに後続する複数のノーマルケースのディスプレイセットの位置情報をX軸あるいはY軸の少なくとも１方向に徐々に移動させることで実現される
ことを特徴とする請求項１記載の記録媒体。
【請求項４】
前記表示効果のワイプイン、又は、ワイプアウトは、前記エポックスタートのディスプレイセットに後続する複数のノーマルケースのディスプレイセットのクロップ情報による切り出し枠を徐々に大きく、又は、小さくしながら位置情報をX軸方向あるいはY軸方向に徐々に移動させることで実現される
ことを特徴とする請求項１記載の記録媒体。
【請求項５】
前記表示効果のカットイン、又は、カットアウトは、前記エポックスタートのディスプレイセットに後続する複数のノーマルケースのディスプレイセットのクロップ情報による切り出し枠を徐々に大きく、又は、小さくすることで実現される
ことを特徴とする請求項１記載の記録媒体。
【請求項６】
ビデオストリーム、グラフィクスストリームが多重化されたデジタルストリームを再生する再生装置であって、
ビデオストリームをデコードして動画像を得るビデオデコーダと、
グラフィクスストリームをデコードするグラフィクスデコーダと
プレーンメモリとを備え、
前記グラフィクスデコーダは、
エポックスタートのディスプレイセット内のグラフィクスデータを復号することにより得られたグラフィクスオブジェクトを格納しておくオブジェクトバッファと、
コントローラとを備え、
前記ビデオストリームは、動画像を表すデータであり、動画像を構成する複数ピクチャからなり、
前記グラフィクスストリームは、複数のディスプレイセットからなり、
個々のディスプレイセットは、１画面分のグラフィクスを構成するデータの集合であり、
前記複数のディスプレイセットのうち先頭のタイプはエポックスタートのディスプレイセットであり、
前記エポックスタートのディスプレイセットはグラフィクスデータと、前記グラフィクスデータの描画領域を定義するウィンドゥ定義データとを含み、
前記グラフィクスデータは、前記ピクチャに合成されるグラフィクスを表し、
前記ウィンドゥ定義データは、前記ピクチャとの合成のためのプレーンメモリにおけるウィンドゥの位置、縦幅、横幅を示し、
前記エポックスタートのディスプレイセットには、ノーマルケースのディスプレイセットが後続しており、
ノーマルケースのディスプレイセットは、前記グラフィクスデータ、及び、ウィンドゥ定義データは含まず、制御データのみを含むディスプレイセットであり、当該制御データは、クロップ情報、位置情報を含み、前記クロップ情報は、オブジェクトバッファに存在するグラフィクスオブジェクト全体のうち、どの部分を切り出して、プレーンメモリに転送するかを示し、前記位置情報は、クロップ情報によりグラフィクスオブジェクトから切り出されたグラフィクスの一部分をウィンドゥ内のどこに表示させるかを示し、
前記コントローラは、制御情報におけるクロップ情報及び位置情報に従い、前記ウィンドゥ定義データで定義されるウィンドゥの内部において、スクロール、ワイプイン、又は、ワイプアウト、カットイン、又は、カットアウトのうち少なくとも一つを含む表示効果を伴いながらグラフィクスを表示に供する、ことを特徴とする再生装置。
【請求項７】
前記エポックスタートのディスプレイセットには、複数のノーマルケースのディスプレイセットが後続しており、
前記個々のノーマルケースのディスプレイセットに属する制御情報は、クロップ情報における切り出し枠の指定と、及び、位置情報における表示の位置とが異なる
ことを特徴とする請求項６記載の再生装置。
【請求項８】
前記表示効果のスクロールは、前記エポックスタートのディスプレイセットに後続する複数のノーマルケースのディスプレイセットの位置情報をX軸あるいはY軸の少なくとも１方向に徐々に移動させることで実現される
ことを特徴とする請求項６記載の再生装置。
【請求項９】
前記表示効果のワイプイン、又は、ワイプアウトは、前記エポックスタートのディスプレイセットに後続する複数のノーマルケースのディスプレイセットのクロップ情報による切り出し枠を徐々に大きく、又は、小さくしながら位置情報をX軸方向あるいはY軸方向に徐々に移動させることで実現される
ことを特徴とする請求項６記載の再生装置。
【請求項１０】
前記表示効果のカットイン、又は、カットアウトは、前記エポックスタートのディスプレイセットに後続する複数のノーマルケースのディスプレイセットのクロップ情報による切り出し枠を徐々に大きく、又は、小さくすることで実現される
ことを特徴とする請求項６記載の再生装置。
【請求項１１】
ボリュームデータを生成して、ボリュームデータが記録された記録媒体を得る記録方法であって、
前記ボリュームデータは、ビデオストリームと、グラフィクスストリームとを多重してなるデジタルストリームを含み、
前記ビデオストリームは、動画像を表すデータであり、動画像を構成する複数ピクチャからなり、
前記グラフィクスストリームは、複数のディスプレイセットからなり、
個々のディスプレイセットは、１画面分のグラフィクスを構成するデータの集合であり、
前記複数のディスプレイセットのうち先頭のタイプはエポックスタートのディスプレイセットであり、
前記エポックスタートのディスプレイセットはグラフィクスデータと、前記グラフィクスデータの描画領域を定義するウィンドゥ定義データとを含み、
前記グラフィクスデータは、前記ピクチャに合成されるグラフィクスを表し、
前記ウィンドゥ定義データは、前記ピクチャとの合成のためのプレーンメモリにおけるウィンドゥの位置、縦幅、横幅を示し、
前記エポックスタートのディスプレイセットには、ノーマルケースのディスプレイセットが後続しており、
ノーマルケースのディスプレイセットは、前記ウィンドゥ定義データで定義されるウィンドゥの内部において、スクロール、ワイプイン、又は、ワイプアウト、カットイン、又は、カットアウトの何れかを含む表示効果を伴いながら、エポックスタートのディスプレイセット内のグラフィクスデータを表示に供するものであり、
ノーマルケースのディスプレイセットは、前記グラフィクスデータ、及び、ウィンドゥ定義データは含まず、制御データのみを含むディスプレイセットであり、当該制御データは、クロップ情報、及び。位置情報を含み、
クロップ情報は、エポックスタートのディスプレイセット内のグラフィクスデータを復号することにより得られ、グラフィクスオブジェクト用バッファに蓄積されているグラフィクスオブジェクト全体のうち、どの部分を表示効果のために切り出して、プレーンメモリに転送するかという切り出し枠の指定を示し、
位置情報は、クロップ情報によりグラフィクスオブジェクトから切り出されたグラフィクスの一部分をウィンドゥ内のどこに配置して、表示に供するかを示す
ことを特徴とする記録方法。
【請求項１２】
再生装置に組込まれ、ビデオストリーム、グラフィクスストリームが多重化されたデジタルストリームの再生を再生装置に行わせる集積回路であって、
ビデオストリームをデコードして動画像を得るビデオデコーダと、
グラフィクスストリームをデコードするグラフィクスデコーダとを備え、
前記グラフィクスデコーダは、
エポックスタートのディスプレイセット内のグラフィクスデータを復号することにより得られたグラフィクスオブジェクトを格納しておくオブジェクトバッファと、
コントローラとを備え、
前記ビデオストリームは、動画像を表すデータであり、動画像を構成する複数ピクチャからなり、
前記グラフィクスストリームは、複数のディスプレイセットからなり、
個々のディスプレイセットは、１画面分のグラフィクスを構成するデータの集合であり、
前記複数のディスプレイセットのうち先頭のタイプはエポックスタートのディスプレイセットであり、
前記エポックスタートのディスプレイセットはグラフィクスデータと、前記グラフィクスデータの描画領域を定義するウィンドゥ定義データとを含み、
前記グラフィクスデータは、前記ピクチャに合成されるグラフィクスを表し、
前記ウィンドゥ定義データは、前記ピクチャとの合成のためのプレーンメモリにおけるウィンドゥの位置、縦幅、横幅を示し、
前記エポックスタートのディスプレイセットには、ノーマルケースのディスプレイセットが後続しており、
ノーマルケースのディスプレイセットは、前記グラフィクスデータ、及び、ウィンドゥ定義データは含まず、制御データのみを含むディスプレイセットであり、当該制御データは、クロップ情報、位置情報を含み、前記クロップ情報は、オブジェクトバッファに存在するグラフィクスオブジェクト全体のうち、どの部分を切り出して、再生装置内のプレーンメモリに転送するかを示し、前記位置情報は、クロップ情報によりグラフィクスオブジェクトから切り出されたグラフィクスの一部分をウィンドゥ内のどこに表示させるかを示し、
前記コントローラは、制御情報におけるクロップ情報及び位置情報に従い、前記ウィンドゥ定義データで定義されるウィンドゥの内部において、スクロール、ワイプイン、又は、ワイプアウト、カットイン、又は、カットアウトのうち少なくとも一つを含む表示効果を伴いながらグラフィクスを表示に供する、ことを特徴とする集積回路。
【請求項１３】
ビデオストリーム、グラフィクスストリームが多重化されたデジタルストリームの再生を、コンピュータ上で実行する再生方法であって、
ビデオストリームをデコードして動画像を得るデコードと、
グラフィクスストリームをデコードするデコードとを有し、
前記コンピュータは、
エポックスタートのディスプレイセット内のグラフィクスデータを復号することにより得られたグラフィクスオブジェクトを格納しておくオブジェクトバッファを備え、
前記ビデオストリームは、動画像を表すデータであり、動画像を構成する複数ピクチャからなり、
前記グラフィクスストリームは、複数のディスプレイセットからなり、
個々のディスプレイセットは、１画面分のグラフィクスを構成するデータの集合であり、
前記複数のディスプレイセットのうち先頭のタイプはエポックスタートのディスプレイセットであり、
前記エポックスタートのディスプレイセットはグラフィクスデータと、前記グラフィクスデータの描画領域を定義するウィンドゥ定義データとを含み、
前記グラフィクスデータは、前記ピクチャに合成されるグラフィクスを表し、
前記ウィンドゥ定義データは、前記ピクチャとの合成のためのプレーンメモリにおけるウィンドゥの位置、縦幅、横幅を示し、
前記エポックスタートのディスプレイセットには、ノーマルケースのディスプレイセットが後続しており、
ノーマルケースのディスプレイセットは、前記グラフィクスデータ、及び、ウィンドゥ定義データは含まず、制御データのみを含むディスプレイセットであり、当該制御データは、クロップ情報、位置情報を含み、前記クロップ情報は、オブジェクトバッファに存在するグラフィクスオブジェクト全体のうち、どの部分を切り出して、プレーンメモリに転送するかを示し、前記位置情報は、クロップ情報によりグラフィクスオブジェクトから切り出されたグラフィクスの一部分をウィンドゥ内のどこに表示させるかを示し、 前記グラフィクスを得るステップは、制御情報におけるクロップ情報及び位置情報に従い、前記ウィンドゥ定義データで定義されるウィンドゥの内部において、スクロール、ワイプイン、又は、ワイプアウト、カットイン、又は、カットアウトのうち少なくとも一つを含む表示効果を伴いながらグラフィクスを表示に供する、ことを特徴とする再生方法。
【請求項１４】
ビデオストリーム、グラフィクスストリームが多重化されたデジタルストリームの再生を、コンピュータに実行させるプログラムであって、
ビデオストリームをデコードして動画像を得るデコードと、
グラフィクスストリームをデコードするデコードとをコンピュータに実行させ、
前記コンピュータは、
エポックスタートのディスプレイセット内のグラフィクスデータを復号することにより得られたグラフィクスオブジェクトを格納しておくオブジェクトバッファを備え、
前記ビデオストリームは、動画像を表すデータであり、動画像を構成する複数ピクチャからなり、
前記グラフィクスストリームは、複数のディスプレイセットからなり、
個々のディスプレイセットは、１画面分のグラフィクスを構成するデータの集合であり、
前記複数のディスプレイセットのうち先頭のタイプはエポックスタートのディスプレイセットであり、
前記エポックスタートのディスプレイセットはグラフィクスデータと、前記グラフィクスデータの描画領域を定義するウィンドゥ定義データとを含み、
前記グラフィクスデータは、前記ピクチャに合成されるグラフィクスを表し、
前記ウィンドゥ定義データは、前記ピクチャとの合成のためのプレーンメモリにおけるウィンドゥの位置、縦幅、横幅を示し、
前記エポックスタートのディスプレイセットには、ノーマルケースのディスプレイセットが後続しており、
ノーマルケースのディスプレイセットは、前記グラフィクスデータ、及び、ウィンドゥ定義データは含まず、制御データのみを含むディスプレイセットであり、当該制御データは、クロップ情報、位置情報を含み、前記クロップ情報は、オブジェクトバッファに存在するグラフィクスオブジェクト全体のうち、どの部分を切り出して、プレーンメモリに転送するかを示し、前記位置情報は、クロップ情報によりグラフィクスオブジェクトから切り出されたグラフィクスの一部分をウィンドゥ内のどこに表示させるかを示し、 前記グラフィクスを得るステップは、制御情報におけるクロップ情報及び位置情報に従い、前記ウィンドゥ定義データで定義されるウィンドゥの内部において、スクロール、ワイプイン、又は、ワイプアウト、カットイン、又は、カットアウトのうち少なくとも一つを含む表示効果を伴いながらグラフィクスを表示に供する制御をコンピュータに行わせる、ことを特徴とするプログラム。
【手続補正２】
【補正対象書類名】明細書
【補正対象項目名】０００６
【補正方法】変更
【補正の内容】
【０００６】
上記目的を達成するため本発明にかかる記録媒体は、データの格納に用いられる記録媒体であって、前記データは、ビデオストリームと、グラフィクスストリームとを多重してなるデジタルストリームを含み、前記ビデオストリームは、動画像を表すデータであり、動画像を構成する複数ピクチャからなり、前記グラフィクスストリームは、複数のディスプレイセットからなり、個々のディスプレイセットは、１画面分のグラフィクスを構成するデータの集合であり、前記複数のディスプレイセットのうち先頭のタイプはエポックスタートのディスプレイセットであり、前記エポックスタートのディスプレイセットはグラフィクスデータと、前記グラフィクスデータの描画領域を定義するウィンドゥ定義データとを含み、前記グラフィクスデータは、前記ピクチャに合成されるグラフィクスを表し、前記ウィンドゥ定義データは、前記ピクチャとの合成のためのプレーンメモリにおけるウィンドゥの位置、縦幅、横幅を示し、前記エポックスタートのディスプレイセットには、ノーマルケースのディスプレイセットが後続しており、ノーマルケースのディスプレイセットは、前記ウィンドゥ定義データで定義されるウィンドゥの内部において、スクロール、ワイプイン、又は、ワイプアウト、カットイン、又は、カットアウトの何れかを含む表示効果を伴いながら、エポックスタートのディスプレイセット内のグラフィクスデータを表示に供するものであり、ノーマルケースのディスプレイセットは、前記グラフィクスデータ、及び、ウィンドゥ定義データは含まず、制御データのみを含むディスプレイセットであり、当該制御データは、クロップ情報、及び、位置情報を含み、クロップ情報は、エポックスタートのディスプレイセット内のグラフィクスデータを復号することにより得られグラフィクスオブジェクト用バッファに蓄積されているグラフィクスオブジェクト全体のうち、どの部分を表示効果のために切り出して、プレーンメモリに転送するかという切り出し枠の指定を示し、位置情報は、クロップ情報によりグラフィクスオブジェクトから切り出されたグラフィクスの一部分をウィンドゥ内のどこに配置して、表示に供するかを示すことを特徴としている。